(57)【要約】【課題】  フローティングナットおよびフローティングボルトにおいて、そのナットまたはボルトが平面方向に不用意に移動することが無く、必要量のみ正確に移動することができるものの提供。【解決手段】  第２プレート３の中央に軸部４を突設させ、それを第１プレート２の開口１に貫通すると共に、それを板バネからなるファスナ５によって止着する。そしてそのファスナ５によって軸部４を軸線方向外方に付勢する。【選択図】        図２
2014001802.tif 000002
【特許請求の範囲】
【請求項１】
開口(1)を有する第１プレート(2)と、
その第１プレート(2)の裏面に接して、その開口(1)を閉塞または横架する第２プレート(3)と、
その第２プレート(3)の中央に突設され、軸径が前記開口(1)より小で、その開口(1)を貫通する軸部(4)と、
その軸部(4)の軸線上に形成したネジ孔(9)と、
第１プレート(2)の表面に接し、前記開口(1)を閉塞または横架すると共に、前記軸部(4)の外周に被嵌されるファスナ(5)とを具備し、
前記ファスナ(5)は、板バネからなり、その中央に係止孔(6)を有すると共に、係止孔(6)の孔縁に複数の欠切部(8)が形成され、外周から係止孔(6)に向かい山形に形成されて、その外周が第１プレート(2) の表面に接すると共に、係止孔(6)が前記軸部(4)外周に被嵌されて軸方向外側にその軸部(4)を付勢することを特徴とするフローティングナット。
【請求項２】
開口(1)を有する第１プレート(2)と、
その第１プレート(2)の裏面に接して、その開口(1)を閉塞または横架する第２プレート(3)と、
その第２プレート(3)の中央に突設され、軸径が前記開口(1)より小で、前記開口(1)を貫通する軸部(4)と、
その軸部(4)の軸線上に形成したネジ孔(9)と、
第１プレート(2)の表面に裏面側が接し、前記開口(1)を閉塞または横架すると共に、前記軸部(4)が貫通する第３プレート(3a)と、
前記軸部(4)の外周の外ネジ(7)に螺着されて、第３プレート(3a)の表面側に接するナット(10)と、を具備し、
前記ナット(10)は、その軸部(4)を軸線方向の外側に付勢するように締結されることを特徴とするフローティングナット。
【請求項３】
開口(1)を有する第１プレート(2)と、
その第１プレート(2)の裏面に接して、その開口(1)を閉塞または横架する第２プレート(3)と、
その第２プレート(3)の中央に突設され、軸径が前記開口(1)より小で、前記開口(1)を貫通する軸部(4)を有するボルト(4a)と、
第１プレート(2)の表面に接し、前記開口(1)を閉塞または横架すると共に、前記ボルト(4a)の外周に被嵌されるファスナ(5)とを具備し、
前記ファスナ(5)は、板バネからなり、その中央に係止孔(6)を有すると共に、係止孔(6)の孔縁に複数の欠切部(8)が形成され、外周から係止孔(6)に向かい山形に形成されて、その外周が第１プレート(2)の表面に接すると共に、係止孔(6)が前記ボルト(4a)の外周に被嵌されて軸方向外側にそのボルト(4a)を付勢することを特徴とするフローティングボルト。
【請求項４】
開口(1)を有する第１プレート(2)と、
その第１プレート(2) の裏面に接して、その開口(1)を閉塞または横架する第２プレート(3)と、
その第２プレート(3)の中央に突設され、軸径が前記開口(1)より小で、前記開口(1)を貫通する軸部(4)を有するボルト(4a)と、
第１プレート(2)の表面に裏面側が接し、前記開口(1)を閉塞または横架すると共に、前記ボルト(4a)が貫通する第３プレート(3a)と、
前記ボルト(4a)に螺着されて、第３プレート(3a)の表面側に接するナット(10)を具備し、
前記ナット(10)は、そのボルト(4a)を軸方向の外側に付勢するように締結されることを特徴とするフローティングボルト。
【請求項５】
請求項１〜請求項４のいずれかに記載のフローティングナットまたはフローティングボルトにおいて、
第１プレート(2)が台形に曲折されたフローティングナットまたはフローティングボルト。
【請求項６】
請求項１〜請求項５のいずれかに記載のフローティングナットまたはフローティングボルトにおいて、
前記ファスナ(5)は、円形の外周を有する板バネからなり、その中央に係止孔(6)を有すると共に、係止孔(6)の孔縁に放射状に複数の欠切部(8)が形成されたフローティングナットまたはフローティングボルト。
【請求項７】
請求項１〜請求項５のいずれかに記載のフローティングナットまたはフローティングボルトにおいて、
前記ファスナ(5)は、方形の外周を有する板バネからなり、その中央に係止孔(6)を有すると共に、係止孔(6)の孔縁に互いに略平行な４本の欠切部(8)が形成され、
第１プレート(2)が台形に曲折され、その台形の頂部の両縁に、ファスナ(5)の可動範囲を規制するストッパ(20)が立ち上げられたフローティングナットまたはフローティングボルト。
【発明の詳細な説明】
【技術分野】
【０００１】
本発明は、ケーシングの内部等に取付けて、そこにボルト等を介して各種部品を固定する際、そのナット等が水平方向に移動できるようにしたフローティングナットおよびフローティングボルトに関する。
【背景技術】
【０００２】
本出願人は、既に特許文献１に記載のフローティングナットを提案している。
このフローティングナットは、中央にネジ孔を有するナット板と、それを支持する支持板とを有し、その支持板の長手方向両端を折り返してナット板を抱持するものである。そしてナット板が平面に沿って移動可能としたものである。
【先行技術文献】
【特許文献】
【０００３】
【特許文献１】特開２０１１−９４７８３号公報
【発明の概要】
【発明が解決しようとする課題】
【０００４】
このフローティングナットは、金属板よりなる支持板の両端部を折り返して、内部にナット板を抱持し、そのナット板が平面方向に移動できるようにしたものである。
この種のフローティングナットは、それにボルトを締結する際、慎重に行わないと、ナット板にかかる外力により、支持板の折返し部を変形させてしまう。すると、その支持機能を失うことになる。
また、ボルトの不用意な操作により支持板の変形が大きいと、ナット板がケーシング内に脱落することも有り、ケーシングを解体してナット板を取り出さなければならない。
更に、支持板自体はケーシングにリベットやスポット溶接等で固着されているため、支持機能を失ったフローティングナットの付け替えに労力と時間を要する。
【０００５】
また、ナット板の移動のし易さは、ナット板を抱持する抱持力による。その抱持力の調整は、極めて厳密に行なう必要がある。通常は支持板のナット板の押さえ部分に僅かの凸面を形成しプレス圧力を調整することで行われる。強すぎればナット板の移動ができず、弱すぎればナット板が不用意に移動し、ボルトとの芯合わせができなくなる。その状態で、ボルトを締め付けるとフローティングナットのねじ部を損傷し、締め付けが困難乃至は不能となる場合がある。
特に、ケーシングの壁にフローティングナットを取り付けた場合には、ナット板の自重が作用するので移動のしやすさと保持力の兼ね合いは微妙な調整が必要となる。
この支持板によるナット板押さえ構造では、ナットの稼動範囲の大きさ、ナットサイズの違いおよび使用場所等により支持板のナット板押さえ部分の形状を変更しなければならないので、支持板の加工時のプレス型を変える必要があり製作にコストもかかる。
【０００６】
そこで本発明は、ボルト締結の際に、不用意に支持板を変形することがなく且つ、ナットの抱持力を容易に且つ最適に調整することができる新たなフローティングナットおよびフローティングボルトを提供することを課題とする。
【課題を解決するための手段】
【０００７】
請求項１に記載の本発明は、開口(1)を有する第１プレート(2)と、
その第１プレート(2)の裏面に接して、その開口(1)を閉塞または横架する第２プレート(3)と、
その第２プレート(3)の中央に突設され、軸径が前記開口(1)より小で、その開口(1)を貫通する軸部(4)と、
その軸部(4)の軸線上に形成したネジ孔(9)と、
第１プレート(2)の表面に接し、前記開口(1)を閉塞または横架すると共に、前記軸部(4)の外周に被嵌されるファスナ(5)とを具備し、
前記ファスナ(5)は、板バネからなり、その中央に係止孔(6)を有すると共に、係止孔(6)の孔縁に複数の欠切部(8)が形成され、外周から係止孔(6)に向かい山形に形成されて、その外周が第１プレート(2) の表面に接すると共に、係止孔(6)が前記軸部(4)外周に被嵌されて軸方向外側にその軸部(4)を付勢することを特徴とするフローティングナットである。
【０００８】
請求項２に記載の本発明は、開口(1)を有する第１プレート(2)と、
その第１プレート(2)の裏面に接して、その開口(1)を閉塞または横架する第２プレート(3)と、
その第２プレート(3)の中央に突設され、軸径が前記開口(1)より小で、前記開口(1)を貫通する軸部(4)と、
その軸部(4)の軸線上に形成したネジ孔(9)と、
第１プレート(2)の表面に裏面側が接し、前記開口(1)を閉塞または横架すると共に、前記軸部(4)が貫通する第３プレート(3a)と、
前記軸部(4)の外周の外ネジ(7)に螺着されて、第３プレート(3a)の表面側に接するナット(10)と、を具備し、
前記ナット(10)は、その軸部(4)を軸線方向の外側に付勢するように締結されることを特徴とするフローティングナットである。
【０００９】
請求項３に記載の本発明は、開口(1)を有する第１プレート(2)と、
その第１プレート(2)の裏面に接して、その開口(1)を閉塞または横架する第２プレート(3)と、
その第２プレート(3)の中央に突設され、軸径が前記開口(1)より小で、前記開口(1)を貫通する軸部(4)を有するボルト(4a)と、
第１プレート(2)の表面に接し、前記開口(1)を閉塞または横架すると共に、前記ボルト(4a)の外周に被嵌されるファスナ(5)とを具備し、
前記ファスナ(5)は、板バネからなり、その中央に係止孔(6)を有すると共に、係止孔(6)の孔縁に複数の欠切部(8)が形成され、外周から係止孔(6)に向かい山形に形成されて、その外周が第１プレート(2)の表面に接すると共に、係止孔(6)が前記ボルト(4a)の外周に被嵌されて軸方向外側にそのボルト(4a)を付勢することを特徴とするフローティングボルト
である。
【００１０】
請求項４に記載の本発明は、開口(1)を有する第１プレート(2)と、
その第１プレート(2) の裏面に接して、その開口(1)を閉塞または横架する第２プレート(3)と、
その第２プレート(3)の中央に突設され、軸径が前記開口(1)より小で、前記開口(1)を貫通する軸部(4)を有するボルト(4a)と、
第１プレート(2)の表面に裏面側が接し、前記開口(1)を閉塞または横架すると共に、前記ボルト(4a)が貫通する第３プレート(3a)と、
前記ボルト(4a)に螺着されて、第３プレート(3a)の表面側に接するナット(10)を具備し、
前記ナット(10)は、そのボルト(4a)を軸方向の外側に付勢するように締結されることを特徴とするフローティングボルトである。
【００１１】
請求項５に記載の本発明は、請求項１〜請求項４のいずれかに記載のフローティングナットまたはフローティングボルトにおいて、
第１プレート(2)が台形に曲折されたフローティングナットまたはフローティングボルトである。
【００１２】
請求項６に記載の本発明は、
請求項１〜請求項５のいずれかに記載のフローティングナットまたはフローティングボルトにおいて、
前記ファスナ(5)は、円形の外周を有する板バネからなり、その中央に係止孔(6)を有すると共に、係止孔(6)の孔縁に放射状に複数の欠切部(8)が形成されたフローティングナットまたはフローティングボルトである。
【００１３】
請求項７に記載の本発明は、請求項１〜請求項５のいずれかに記載のフローティングナットまたはフローティングボルトにおいて、
前記ファスナ(5)は、方形の外周を有する板バネからなり、その中央に係止孔(6)を有すると共に、係止孔(6)の孔縁に互いに略平行な４本の欠切部(8)が形成され、
第１プレート(2)が台形に曲折され、その台形の頂部の両縁に、ファスナの可動範囲を規制するストッパ(20)が立ち上げられたフローティングナットまたはフローティングボルである。
【発明の効果】
【００１４】
請求項１に記載のフローティングナットは、板バネからなるファスナ５が第１プレート２の表面に接し、そのファスナ５が軸部４を軸方向外側に付勢するものである。
そのため、ボルトをフローティングナットに止着するときに加わる垂直な外力は、ファスナ５と第１プレート２で支持され、従来のように第１プレートの抱持部を変形することがない。
また、ボルトをフローティングナットに止着するとき、ファスナの付勢力により、軸部４が不用意に移動し過ぎることを防止し、その必要量の移動調整が容易で、フローティングナットにボルトを介して他の部品を確実に締結できる効果がある。また、上記の形状を有するファスナ５は汎用の量産品を使用できると共に、第１プレート２の形状を単純化でき、製造容易で安価にフローティングナットを提供できる。
【００１５】
請求項２に記載のフローティングナットは、軸部４の外周にナット10が螺着されて、その軸部４を外側に付勢するものである。そのナット10の締結力の調整により、軸部４の付勢力を最適な値にできる。そのため、ボルトをフローティングナットに止着するとき、軸部４が不用意に移動し過ぎることを防止し、その必要量の移動調整が容易で、フローティングナットにボルトを介して他の部品を確実に締結できる効果がある。また、上記のナット10は汎用の量産品を使用できると共に、第１プレート２の形状を単純化でき、製造容易で安価なフローティングナットを提供できる。
さらには、ボルトをフローティングナットに止着するときに加わる垂直な外力は、ナット10と第１プレート２で支持され、従来のように第１プレートの抱持部を変形することがない。
【００１６】
請求項３に記載のフローティングボルトは、板バネからなるファスナ５が第１プレート２の表面に接し、そのファスナ５の係止孔６がボルト4aを軸方向外側に付勢するものである。
そのため、ナット16をボルト4aに止着するとき、ファスナの付勢力により、ボルト4aが不用意に移動し過ぎることを防止し、その移動調整が容易なため、フローティングボルトにナット16を介して他の部品を確実に締結できる効果がある。また、上記の形状を有するファスナ５は汎用の量産品を使用できると共に、第１プレート２の形状を単純化でき、製造容易で安価なフローティングボルトを提供できる。
【００１７】
請求項４に記載のフローティングボルトは、ボルト4aの外周にナット10が螺着されて、そのボルト4aを外側に付勢するものである。そのナット10の締結力の調整により、ボルト4aの付勢力を最適な値にできる。そのため、別のナット16をフローティングボルトに止着するとき、ボルト4aの移動調整が容易で、フローティングボルトに別のナット16を介して他の部品を確実に締結できる効果がある。また、上記のナット10は汎用の量産品を使用できると共に、第１プレート２の形状を単純化でき、製造容易で安価なフローティングナットを提供できる。
【００１８】
請求項５に記載のフローティングナットまたはボルトは、第１プレート２が台形に曲折されているため、第２プレート３を台形の内側に収納し、その状態でそれら全体を基板12等に取付けることができる。
【００１９】
請求項６に記載のフローティングナットまたはボルトは、ファスナ(5)が、円形の外周を有する板バネからなり、その中央に係止孔(6)を有すると共に、係止孔(6)の孔縁に放射状に複数の欠切部(8)が形成されたから、ファスナ５のバネのバランスがよく、その軸部４が何れの方向にも円滑に移動できる。
【００２０】
請求項７に記載のフローティングナットまたはボルトは、ファスナ(5)が、方形の外周を有する板バネからなり、その中央に係止孔(6)を有すると共に、係止孔(6)の孔縁に互いに略平行な４本の欠切部(8)が形成され、
第１プレート(2)が台形に曲折され、その台形の頂部の両縁に、ファスナの可動範囲を規制するストッパ(20)が立ち上げられたから、ファスナ５がストッパ20に規制された範囲のみを移動することができる。そのため、ファスナ５が他の隣接部品と干渉することかない。
【図面の簡単な説明】
【００２１】
【図１】本発明の第１実施例のフローティングナット17の分解斜視図。
【図２】同フローティングナット17の組立て状態を示す斜視図。
【図３】同フローティングナット17の裏面側平面図。
【図４】図３のＩＶ−ＩＶ矢視における使用状態を示す説明図。
【図５】同フローティングナット17の使用時におけるファスナ５の移動範囲を示す説明図。
【図６】本発明の第２実施例のフローティングナット17の取付け状態を示す断面図。
【図７】他の実施例における第２プレート３と軸部４との接合部の一部断面図。
【図８】本発明の他のフローティングナット17の平面図。
【図９】本発明のさらに他のフローティングナット17の平面図。
【図１０】本発明の他のフローティングナット17の平面図。
【図１１】本発明の他のフローティングナット17の平面図。
【図１２】本発明のさらに他のフローティングナット17の一部破断説明図。
【図１３】本発明のさらに他のフローティングナット17の説明図。
【図１４】本発明のフローティングボルト18の取付け状態を示す説明図。
【図１５】本発明のさらに他のフローティングボルト18の取付けを示す説明図。
【図１６】本発明のさらに他のフローティングボルト18の取付けを示す説明図。
【図１７】本発明の他のフローティングナットの分解斜視図。
【図１８】同ナットの使用状態を示す縦断面説明図。
【図１９】同ナットの使用時におけるファスナー５の移動範囲を示す説明図。
【図２０】本発明のさらに他のフローティングナットの使用状態を示す説明図。
【発明を実施するための形態】
【００２２】
次に、図面に基づいて本発明の各実施の形態につき説明する。
図１〜図５は、本発明の第１実施例であり、請求項１に記載の発明である。
このフローティングナット17は、第１プレート２と第２プレート３とファスナ５とからなる。第１プレート２はその長手方向を断面ハット状に曲折し、その両端部に第１プレートの取付孔16aが穿設され、中央に開口１を穿設している。取付孔16aにはリベットやボルトが挿入され、基板12に取り付けられる。なお、取付孔16aを設けないで平面とし、スポット溶接等で基板12に取り付けてもよい。
また、幅方向両側には側部2aが曲折形成され、第１プレート２の剛性を高めると供に、第２プレート３の角部が第１プレートより突出するのを防止する。
【００２３】
第２プレート３は、開口１の直径より大なる長辺を有し、短辺はそれよりも小に形成されている。そして、第２プレート３の中心に軸部４が固定されている。軸部４の軸線上には、ネジ孔９が設けられている。
なお、軸部４と第２プレート３とを別部品で形成し、図７の如くカシメ固定してそれを製造することができる。
或いは、第２プレート３と軸部４とを一体に成形してもよい。軸部４の直径は、開口１の直径よりも小である。
【００２４】
次に、ファスナ５はその外直径が開口１より大であり、内歯付きの皿バネからなり、その底部5bの外周に筒部5aが僅かに立ち上げ形成され、底部5bの周縁部から中心に向って図４の如く傾斜して突出する皿状部を有し、その中心に図１の如く係止孔６が形成されている。係止孔６の直径は、軸部４の外直径よりも僅かに小である。そして係止孔６には、放射状に多数の欠切部８が欠切されている。
ファスナ５の底部5bの外周の筒部5aは必ずしも必要ではないが、ファスナ５の剛性を高めるためおよび軸部４にファスナ５を圧入するときの工具外周の位置決めとして有用である。
そして第２プレート３と軸部４とが一体化された状態で、第１プレート２の裏面側に第２プレート３を接触させ、軸部４を開口１に貫通させる。次いで、軸部４にファスナ５の係止孔６を圧入する。すると、図２及び図４に示す如く、ファスナ５の底部5bが第１プレート２の表面に圧接する。その圧接の接触抵抗は、ファスナ５を軸部４に圧入するときの圧入調整により行なう。
【００２５】
すると、軸部４はファスナ５の弾発力により第２プレートの軸部４を第２プレート３側と反対方向に付勢されることになる。すなわち、軸部４はファスナ５の弾発力により軸方向外側に付勢される。その付勢力を適宜な値になるようにファスナ５を軸部４に嵌着すればよい。すると、軸部４のネジ孔９にボルトを取付ける際、不用意に軸部４が平面方向に移動することなく、両者の軸線を合わせるに必要な移動量だけ軸部４を移動させることが可能となる。
そして一例として図４に示す如く、第１プレート２を基板12に適宜な方法で固定し、取付部材13を基板12にボルト14を介して締結固定することができる。このとき、軸部４は図において右方に移動し、取付部材13のボルト孔13aに整合される。それによりボルト14を軸部４のネジ孔９に締結して、取付部材13を基板12に固定することができる。
図５はそのファスナ５の移動範囲を示す説明図であり、同図において水平方向および垂直方向に移動させることができる。一例として、実線の状態から鎖線の状態にファスナ５を移動できる。
【００２６】
次に、図６は本発明の第２実施例のフローティングナット17を示し、この例が図２のそれと異なる点は、第１プレート２の形状のみである。
この第１プレート２はカップ状に形成され、その開口端のフランジ部が基板12に適宜手段により固定されるものである。そして、取付部材13を基板12にボルト14を介して締結固定するものである。
このとき、フローティングナット17の軸部４が平面方向に移動し、軸線が整合される。
本実施例では、第１プレート２がカップ状に形成されているので、基板12に対して第１プレート２がスペーサの役目をし、しかもフローティングナットとしたので、取付部材13の締結固定が容易となる。
【００２７】
次に、図８〜図１１は夫々他の実施例を示し、これらが図３のそれと異なる点は、第２プレート３の形状または第１プレート２の開口１の形状である。
図８の例は、第２プレート３が正方形に形成され開口１を閉鎖するようにされている。
図９の例は、第２プレート３が三角形に形成され、その角部が開口１に横架（架橋）されている。
図１０の例は、第１プレート２の開口１が第１プレート２の取付け方向と同方向の長手方向に細長いと共に、第２プレート３の長手方向がそれに直交するように架橋されている。
図１１の例は、第１プレート２の開口１が第１プレート２の取付け方向と垂直方向の幅方向に細長く形成され、第２プレート３が第１プレート２の長手方向に架橋されている。
なお、図８〜図１１は、第１プレート２の開口１と第２プレート３の形状関係について説明したが、本構成は同様に、第１プレート２の開口１とファスナ５の外周輪郭形状にも適用できる。
【００２８】
次に、図１２は本発明のさらに他の実施例であり、軸部４と第２プレート３とが別部品からなる。
軸部４は、頭部15を一端に有し、その直径は第１プレート２の開口１よりも小である。そして第２プレート３に軸部４が貫通され、ファスナ５によりその軸部４が止着されるものである。
【００２９】
次に、図１３は本発明のさらに他の実施例であり、本発明の請求項２に記載のものである。
これは第２プレート３の中心に軸部４が突設され、その外周の外ネジ７にナット10が第３プレート3aを介して第１プレート２に適宜圧力で締結される。それにより、軸部４は軸線方向外側に付勢され、第２プレート３と第１プレート２との接触抵抗を適宜な値に保持するものである。なお、ナット10と第３プレート3aを一体に構成してもよい。
軸部４の中心にはネジ孔９が形成され、そのネジ孔９に取付部材13のボルト孔13aを介してボルト14が締結されるものである。このとき、第２プレート３および軸部４はボルト孔13aの軸線に整合するように平面方向に移動する。ナット10の締結力を適宜な値にすることにより、軸部４が不用意に移動することを防止し且つ、軸部４のネジ孔９とボルト孔13aとの位置合わせを容易にすることができる。
さらに、このナット10には、緩み止め板22が設けられ、それがナットのネジ孔周縁にかしめ固定されている。この緩み止め板22は、ナット10のネジ孔程度の内直径で、環状に形成され、その内周に部分的に爪部22ａが突設され、それが軸部４の外ネジ７に係止される。それによって、ナット10が緩むことを防止している。
【００３０】
次に、図１４は本発明のフローティングボルト18の第１実施例であり、請求項３に記載の発明である。これは第２プレート３の中心にボルト4aが固定されたものである。
この例では、第１プレート２に複数のフローティングボルト18が取付けられている。そして一例として、スタッド19を有する、取付部材13を第１プレート２に固定するとき、夫々のボルト4aにナット16を介して締結される。このとき同図において、右側のボルト4aが左方向に移動してボルト孔13aの軸線とボルト4aの軸線とが整合される。
【００３１】
次に、図１５は本発明のフローティングボルト18の第２実施例である。この例が前記第１実施例と異なる点は、ボルト4aと第２プレート３とが別体であり、ボルト4aが頭部15を有するものである。そして、ボルト4aの付根に先ずファスナ５が嵌着され、次いでそれが第２プレート３及び第１プレート２の開口１を貫通する。次いでファスナ５がボルト4aの外周に嵌着されるものである。この例では、上下一対のファスナ５によって、ボルト4aが軸方向外側に付勢される。その付勢力を適宜に維持することにより、ボルト4aが平面方向に移動するとき不用意に、より大きく移動することを防止できる。
【００３２】
次に、図１６は本発明のフローティングボルト18の第３実施例であり、これは請求項４に記載の発明に相当する。
このフローティングボルト18が、図14の実施例と異なる点は、ファスナ５の変わりにナット10を用いたものである。そしてそのナット10を第３プレート3aを介して、第２プレート３に適宜圧力で締結する。それにより、ボルト4aを軸線方向外方に付勢し、それが平面方向に不用意に移動することを防止すると共に、必要量だけ平面方向に移動させることが容易となる。なお、ナット10と第３プレート3aを一体に構成してもよい。この例も、前記図１３の例と同様に、ナット10に緩み止め板22が設けられ、その爪部22ａが軸部４の外ネジに係止され、緩み止めを行なう。
【００３３】
次に、図１７は本発明のさらに他のフローティングナットの分解斜視図であり、この例が図１の実施例と異なる点は、ファスナ５の形状および第１プレート２にストッパ20を設けた点である。このファスナ５は、方形の外周を有する板ばねからなり、その長辺側両側に補強壁5dが立ち上げられ、係止孔６の回りに互いに離間して設けた欠切部８がほぼ互いに平行に形成されている（図１９参照）。また、第１プレート２には、ファスナ５側に複数のストッパ20がその両側に立上げられている。さらに、軸部４には環状溝21が設けられ、そこにファスナ５の変形部5cの先端が係止される。
【００３４】
このファスナ５の変形部5cは図１８（Ｂ）のごとく、自由状態で軸線方向外側に突出した状態から、取付時にその変形部5cを軸線方向内側へ押込むことにより、その先端を環状溝21に係止する。即ち、変形部5cはファスナ５を取り付ける際、図１８（Ｂ）の、実線の状態から鎖線の状態に移動する。
そして係止されると、変形部5cはもとの自由状態に戻る付勢力が働き、軸部４を軸線方向外側に付勢する。
次に、ファスナ５は図１９に示すごとく、その補強壁5dがストッパ20に当接するまで移動が可能である。このストッパ20によって、ファスナ５の一部が第１プレート２から外側に飛び出すことがない。それにより、フローティングナットに隣接する部品とファスナ５とが干渉することを防止できる。
【００３５】
次に、図２０は本発明のさらに他の実施例であり、この例が図１８の実施例と異なる点は、ファスナ５の変形部5cの自由状態における形状のみである。この変形部5cは自由状態において、同図（Ｂ）の実線のごとくその底部5bに平行である。そして、取付時においては実線の状態から鎖線の状態に押込まれ、その反作用として軸部４を軸方向外方に付勢する。
【００３６】
図１７〜図２０に示す実施例のフローティングナットは、基板12の縁部にフローティングナットを取り付ける場合に有用である。すなわち、第１実施例のような外周円形のファスナ５を用いた場合、図５に示すように第１プレート２よりファスナ５が飛び出すことがある。
すると、これを基板12の縁部に使用すると、基板12よりファスナ５の一部分が飛び出すことになり、他の基板類の取り付けに支障をきたしたり、ファスナ５の飛び出し部が損傷を受けたりする不具合が生ずるおそれがある。
また、基板12の縁部が折り曲げられて壁状になっている場合は、フローティングナットの稼動範囲を制限することとなる。
【００３７】
本実施例においては、ファスナ５の外周を方形にすることにより、基板12の縁部であってもファスナ５が第１プレート２より飛び出すことがなく、しかも第１プレート２の開口１に沿ったフローティング範囲を確保できる。
更に、ストッパ20を設けることで、第２プレート３が図１に示すような方形であると、ファスナ５の方形を第１プレート２に取り付けるときに方向を合わせる必要がなく、任意の位置で組み付け可能である。
すなわち、第２プレート３とファスナ５がクロスした状態で組みつけられても、ストッパ20によって制限されるので第１プレート２よりファスナ５の角部が飛び出すことがない。
【符号の説明】
【００３８】
１  開口
２  第１プレート
2a  補強壁
３  第２プレート
3a  第３プレート
４  軸部
4a  ボルト
５  ファスナ
5a  筒部
5b  底部
5c  変形部
5d  補強壁
【００３９】
６  係止孔
７  外ネジ
８  欠切部
９  ネジ孔
10  ナット
12  基板
13  取付部材
13a  ボルト孔
14  ボルト
【００４０】
15  頭部
16  ナット
16a  取付孔
17  フローティングナット
18  フローティングボルト
19  スタッド
20  ストッパ
21  環状溝
22  緩み止め板
22a  爪部
【図１】
2014001802.tif 000003
【図２】
2014001802.tif 000004
【図３】
2014001802.tif 000005
【図４】
2014001802.tif 000006
【図５】
2014001802.tif 000007
【図６】
2014001802.tif 000008
【図７】
2014001802.tif 000009
【図８】
2014001802.tif 000010
【図９】
2014001802.tif 000011
【図１０】
2014001802.tif 000012
【図１１】
2014001802.tif 000013
【図１２】
2014001802.tif 000014
【図１３】
2014001802.tif 000015
【図１４】
2014001802.tif 000016
【図１５】
2014001802.tif 000017
【図１６】
2014001802.tif 000018
【図１７】
2014001802.tif 000019
【図１８】
2014001802.tif 000020
【図１９】
2014001802.tif 000021
【図２０】
2014001802.tif 000022